(57)【要約】【課題】  汚染が完全排除された状態で安全に飲用することを可能にした生水安全排出装置を提供すること。【解決手段】  生水筒の入口に被せられた状態で生水排出器の投入部にのせられる生水筒受け台の下部には、生水筒の内部を殺菌させる殺菌手段と、一端部に空気フィルタを、他端部に生水流入防止手段を有し且つ生水筒の内部に外部の空気を流入させる空気流入管とがそれぞれ取り付けられ、生水筒受け台の下端には、所定の空間及び生水排出孔を有する栓部材が結合し、生水排出孔には栓部材の生水排出孔を選択的に開閉できるように開閉部材が挿入して昇降し、開閉部材を弾支する弾性部材が介在されているものにおいて、空気流入管を生水筒受け台の内壁面に密着されるように多段折曲して構成し、生水排出器の投入部に被せられるパッキングカバーを設け、このパッキングカバー上に生水筒と生水筒受け台をのせるが、パッキングカバーの縁部には、生水排出器の投入部の縁部に係止されるように円周方向に連続するフランジを形成し、フランジの上部には、生水筒受け台と密着・パッキングできるようにパッキング部材を一体に形成し、前記パッキングカバーの下部中央には、生水を生水排出器の冷水筒または温水筒に分枝させる分枝管を緊密に挿入するが、分枝管は、上端部が生水筒受け台の開閉部材を押圧して生水排出孔を選択的に開放できるように、パッキングカバーの下部中央から上方に突出するように位置させ、パッキングカバー底面側の分枝管の周面には多数の生水排出孔を形成してなる。
2005511435.tif 000002
【特許請求の範囲】
【請求項１】
生水ボトル（１）の注出口に被せられた状態で生水供給機（２）の注入部（３）にのせられる生水ボトル受け台（４）の下部には、生水ボトル（１）の内部を殺菌する殺菌手段と、一端部に空気フィルタ（５）を他端部に生水流入防止手段を有し且つ前記生水ボトル（１）の内部に外部の空気を流入させる空気流入管（６）とがそれぞれ取り付けられ、前記生水ボトル受け台（４）の下端には、所定の空間及び生水流出孔（７）を有する栓部材（８）が結合し、開閉部材（９）が前記生水流出孔（７）に挿入されて昇降しこれにより前記栓部材（８）の生水流出孔（７）を選択的に開閉できるようにされ、また同じく下端には前記開閉部材（９）を弾性支持する弾性部材（１０）が設けられているものにおいて、
前記空気流入管（６）を生水ボトル受け台（４）の内壁面に密着されるように折り曲げて構成し、前記生水供給機（２）の注入部（３）に被せられる漏斗状のパッキングカバー（１１）を設け、該パッキングカバー（１１）上に前記生水ボトル（１）と前記生水ボトル受け台（４）をのせるが、該パッキングカバー（１１）の縁部には、前記生水供給機（２）の注入部（３）の縁部に係止されるように円周方向に連続するフランジ（１２）を形成し、該フランジ（１２）の上部には、前記生水ボトル受け台と密着・パッキングできるようにパッキング部材（１３）を一体に形成し、
該パッキングカバー（１１）の下部中央には、生水を前記生水供給機の冷水用容器（１４）及び温水用容器（１５）に分枝させる分枝管（１６）を緊密に挿入するが、該分枝管（１６）は、上端部が生水ボトル受け台（４）の開閉部材（９）を押圧して前記生水流出孔（７）を開放できるようにパッキングカバー（１１）の下部中央から上方に突出するように位置させ、パッキングカバー底面側の前記分枝管（１６）の周面には多数の生水流出孔（１７）を形成してなることを特徴とする生水安全注出装置。
【請求項２】
前記パッキングカバー（１１）と前記分枝管（１６）が互いに螺合することを特徴とする請求項１記載の生水安全注出装置。
【請求項３】
生水ボトル（１）の入口に被せられた状態で生水供給機（２）の注入部（３）にのせられる生水ボトル受け台（４）の下部には、生水ボトル（１）の内部を殺菌する殺菌手段と、一端部に空気フィルタ（５）を他端部に生水流入防止手段を有し且つ前記生水ボトル（１）の内部に外部の空気を流入させる空気流入管（６）とがそれぞれ取り付けられ、前記生水ボトル受け台（４）の下端には、所定の空間及び生水流出孔（７）を有する栓部材（８）が結合し、開閉部材（９）が前記生水流出孔（７）に挿入されて昇降しこれにより前記栓部材（８）の生水流出孔（７）を選択的に開閉できるようにされ、また同じく下端には開閉部材（９）を弾性支持する弾性部材（１０）が設けられているものにおいて、
前記空気流入管（６）を前記生水ボトル受け台（４）の内壁面に密着されるように折り曲げて構成し、前記生水供給機（２）の注入部（３）に被せられる漏斗状あるいは底部の在るパッキングカバー（１１）を設け、パッキングカバー（１１）上に前記生水ボトル（１）と前記生水ボトル受け台（４）をのせるが、前記パッキングカバー（１１）の縁部には、前記生水供給機（２）の注入部（３）の縁部に係止されるように円周方向に連続するフランジ（１２）を形成し、該フランジ（１２）の上部には、生水ボトル受け台と密着・パッキングできるようにパッキング部材（１３）を一体に形成し、
前記パッキングカバー（１１）の下部中央には生水流出孔（２８）を形成し、前記生水流出孔（２８）には、２方向以上の翼（１０２）と、該各翼（１０２）の間に形成される生水流出通路（１０３）と、前記生水ボトル（１）を前記生水供給機（２）に装着するときに少なくともその上端部が前記生水ボトル受け台（４）の開閉部材（９）を押圧することが可能な高さだけ上端部から下がった位置に、前記パッキングカバー（１１）の生水流出孔（１７）の入口側壁に係止されるように形成された係止段（１０４）とを有してなる押圧部材（１０１）を上方から挿入し、前記パッキングカバー（１１）の生水流出孔（２８）の下方に突出部（１１ｂ）を設けてその外周面に、冷水用容器（１４）と温水用容器（１５）に生水を分枝させるための分枝管（１６）を挿入して構成したことを特徴とする生水安全注出装置。
【発明の詳細な説明】
【技術分野】
【０００１】
本発明は、容器内に貯蔵されている生水を他の容器に安全に流出させる装置に関するものであり、さらに詳しくは、生水ボトルに生水ボトル受け台を被せて常時漏水を防止し、この生水ボトルの組立体を冷温水の供給機に装着する際に、生水が注出される通路上で外部の空気と接触しないようにすることにより空気中の細菌による汚染を完全に排除し、安全に飲用することを可能にした生水安全注出装置に関す。
【背景技術】
【０００２】
周知のとおり、生水は、鉱物性ミネラルなどの無機質を含有する人体に有益な活水であ。しかし、煮沸したお湯とは異なり、生水供給機を介して貯蔵され、流出される過程で、人体に有害な細菌に汚染され易い。
【０００３】
通常、生水は生水ボトルに入れて密封された状態で商店又は家庭に供給される。そして、生水ボトルを開封して、別途の生水供給機の注入部に載置し、冷水又は温水として供給され、人が飲用している。ところが、生水供給機に生水ボトルを逆さまにして設置する過程で、生水供給機の水受け部位が空気中にそのまま露出された状態になっており、このため不可避的に水を空気に晒すため必ず周辺の空気で汚染される。
【発明の開示】
【発明が解決しようとする課題】
【０００４】
このため、自動販売枠等の生水供給器においてある期間生水を保持していても、内部の生水が細菌に汚染されることのない、万一汚染されても安全を達成しうる生水安全注出装置が望まれていた。
【課題を解決するための手段】
【０００５】
本発明は、かかる問題点を解決する目白でなされたものであり、生水ボトル受け台の空気流入管を生水ボトル受け台の外側に露出させずに生水受け台の内壁面に密着させ、生水供給機の注入部に被せられる別途のパッキングカバーを設けるが、パッキングカバーの縁部には生水ボトル受け台と密着・パッキングできるようにパッキング部材を一体に形成し、パッキングカバーの中央部には生水を生水供給機の温水用容器又は冷水用容器に分枝させる分枝管を緊密に挿入し、分枝管の上端部が生水ボトル受け台の開閉部材を押圧して生水流出孔を閉止から開放にできるようにすることにより、パッキングカバーによって生水供給機の注入部を完全に密閉して細菌の汚染を予め防止し、空気流入管を外部に露出させないで外観上の美麗さを図るうえ、一般的な生水供給機にそのまま適用することができ、パッキンカバーに分枝管が挿着されるので生水供給機からの別途の水の流出管が不必要となってコンパクトな生水流出構造を有することが可能な生水安全注出装置としている。
【０００６】
また本発明は、生水ボトルの抽出口に被せられた状態で生水供給機の注入部にのせられる生水ボトル受け台の下部には、生水ボトルの内部を殺菌する殺菌手段と、一端部に空気フィルタを他端部に生水流入防止手段を有し且つ生水ボトルの内部に外部の空気を流入させる空気流入管とがそれぞれ取り付けられ、生水ボトル受け台の下端には、所定の空間及び生水流出孔を有する栓部材が結合し、栓部材に開閉部材が挿入されて昇降しこれによりその生水流出孔を開閉できるようにし、また同じく下端には開閉部材を弾性支持する弾性部材が設けられているものにおいて、空気流入管を生水ボトル受け台の内壁面に密着されるように折り曲げて構成し、生水供給機の注入部に被せられる漏斗状あるいは底に孔の在る円筒容器状のパッキングカバーを設け、パッキングカバー上に生水ボトルと生水ボトル受け台をのせるが、パッキングカバーの縁部には、生水供給機の注入部の縁部に係止されるように円周方向に連続するフランジを形成し、フランジの上部には、生水ボトル受け台と密着・パッキングできるようにパッキング部材を一体に形成し、パッキングカバーの下部中央には、生水を生水供給機の冷水用容器または温水用容器に分枝させる分枝管を緊密に挿入するが、分枝管は、上端部が生水ボトル受け台の開閉部材を押圧して生水流出孔を選択的に開放できるように、パッキングカバーの下部中央から上方に突出するように位置させ、パッキングカバー底面側の分枝管の周面には多数の生水流出孔を形成してなる生水安全排出装置としている。
【発明を実施するための最良の形態】
【０００７】
以下、本発明を実施例によって説明する。
【０００８】
本発明に係る生水安全注出装置は、図１から図３に示されている。これらの図に示すように、生水ボトル１の入口に被せられた状態で生水供給機２の注入部３にのせられる生水ボトル受け台４の下部には、生水ボトルの内部を殺菌する殺菌手段と、一端部に空気フィルタ５を、他端部に生水流入防止手段を有し且つ生水ボトル１の内部に外部の空気を流入させる空気流入管６とがそれぞれ取り付けられる。生水ボトル受け台４の下端には、所定の空間及び生水流出孔７を有する栓部材８が嵌合されている。栓部材８の生水流出孔７を選択的に開閉できるように開閉部材９が生水流出孔７に挿入されて昇降し、開閉部材９を弾性支持する圧縮バネからなる弾性部材１０が介在されている。空気流入管６を生水ボトル受け台４の内壁面に対して密着されるように折り曲げて取付け、生水供給機２の注入部３に被せられる漏斗状のパッキングカバー１１を設ける。
【０００９】
このパッキングカバー上に生水ボトル１と生水ボトル受け台４をのせるが、パッキングカバー１１の縁部には、生水供給機２の注入部３の縁部に係止されるように円周方向に連続するフランジ１２を形成し、フランジ１２の上部には、生水ボトル受け台４と密着・パッキングできるようにパッキング部材１３を一体に形成する。漏斗状のパッキングカバー１１の下部中央には、生水を生水供給機の冷水用容器１４または温水用容器１５に分枝させる分枝管１６を緊密に挿入する。
【００１０】
分枝管１６は、上端部が生水ボトル受け台４の開閉部材９を押圧して生水流出孔７を選択的に開放できるように、パッキングカバー１１の下部中央から上方に突出するように位置させる。パッキングカバー底面側の分枝管１６の周面には多数の生水流出孔１７を形成する。
【００１１】
この際、殺菌手段は、石英管１８の内側に紫外線ランプ１９が内蔵されており、そのリード線２０は、生水ボトル受け台４の側壁に沿って一体に設けられた被覆管２１を介して外方に引き出される。
【００１２】
生水流入防止手段は、図４の如く空気流入管６の吐出側の端部に結合される中空のキャップ部材２２と、キャップ部材２２内に上下移動可能に挿入されたボール部材２３と、ボール部材２３によって開閉可能な空気流通孔２４を有する隔離板２５と、ボール部材２３の移動を制限定するストッパー２６とからなる。
【００１３】
また、パッキングカバー１１と分枝管１６にはそれぞれネジ部１１ａ、１６ａを形成して分枝管１６を冷水用容器１４及び温水用容器１５に連結した後、パッキングカバー１１を分枝管１６に螺合して密閉させ、石英管１８と空気流入管１６との間にはその間を一定に維持しながら支持する支持片２７を設置することもできる。
【００１４】
１４ａ、１５ａは、過度な圧力がかかるとき、その圧力を外方に抜き出して適正圧力を維持させるため冷水用容器と温水用容器にそれぞれ設けられた安全弁である。
【００１５】
つぎに、このように構成された本実施の形態の生水安全注出装置の作用を図５に基づいて説明する。
【００１６】
まず、生水ボトル１を開封して、殺菌手段と空気流入管６を有する生水ボトル受け台４を被せると、開閉部材９は弾性部材１０の弾性力によって栓部材８の生水流出孔７を塞ぐ状態になり、生水流入防止手段のボール部材２３は空気流入管６内の水圧によって押し付けられて隔離板２５の空気流通孔２４を塞ぐので、空気流入管６内への生水流入も防止される。
【００１７】
一方、生水ボトル１をのせる生水供給機２の注入部３には、パッキングカバー１１を被せるが、パッキングカバーを被せる前に予め分枝管１６を冷水用容器１４及び温水用容器１５にそれぞれ固定し、パッキングカバー１１の中央部に分枝管１６が挿入されるようにそれぞれのねじ１１ａ、１６ａによってパッキングカバー１１と分枝管１６とを螺合し、パッキングカバー１１を分枝管１６に完全に締結すると、パッキングカバー１１の縁部に円周方向に連続して形成されたフランジ１２が生水供給機２の注入部３の縁部に係止される。
【００１８】
このような状態で、生水ボトル受け台４が被せられた生水ボトル１を逆さまにして生水供給機２の注入部３にのせると、生水ボトル受け台４の外周面が、パッキングカバー１１の縁部と接触するときに、パッキングカバー１１のフランジ１２上に一体に設けられたパッキング部材１３をその自重によって自然に押えることにより、生水ボトル受け台４とパッキングカバー１１との間を完全に密閉することができるため、生水供給機２の注入部３を介して発生し得る細菌による汚染を完璧に防止することができ、生水ボトル１を生水供給機２の注入部３、具体的にはパッキングカバー１１の上部にのせると、パッキングカバー１１の下部中央に挿入して突出させた分枝管１６の上端部が生水ボトル受け台４の開閉部材９を押圧するので、生水ボトル受け台４の生水流出孔７が開放されて生水ボトル１１から生水が１次排出される。この排出された生水はパッキングカバー１１内に排出され、パッキングカバー底面側の分枝管１６の周面に設けられた生水流出孔１７を介して２次排出され、冷水用容器１４または温水用容器１５内に分枝して流入される。このようにパッキングカバー底面側の分枝管１６の周面に生水流出孔１７が設けられており、生水が１次排出された後、パッキングカバー１１の内側に止まらず、分枝管１６を介して冷水用容器１４または温水用容器１５に全量流入されることができる。
【００１９】
この際、生水ボトル１から生水が円滑に注出されるためには、その内部へ外部から空気が導入されなければならない。このような外部空気の流入は空気流入管６を介して行われる。ところが、汚染した空気が流入される場合には、生水ボトル１の内部の生水を汚染させるおそれがあるので、空気流入管６の流入側の端部に空気フィルタ５を採用して常時細菌汚染のない新鮮な空気が流入されることとしている。空気流入管６を介して空気が流入される場合、その圧力によって空気流入管６の吐出側の端部に採用された生水流入防止手段のボール部材２３が押圧されて空気流通孔２４を開放させることにより新鮮な外部空気が生水ボトル１に円滑に流入でき、生水の排出が円滑になる。これは、生水が注出される際に生水ボトル１に外部空気が導入されて生水を円滑に注出することができるとともに、外部空気は空気フィルタ５によってフィルタリングされて浄化されているので、生水ボトル１への流入する空気には細菌が全くなく、生水ボトル１の生水を長期間保管、使用しても細菌の汚染、そして繁殖を防ぐことができることを意味し、特に殺菌手段としての紫外線ランプ１９によって持続的に殺菌が行われるので、生水ボトル１の生水を衛生的に保管することができることを意味する。
【００２０】
また、生水が注出される場合には、生水ボトル１の構造より必然的に殺菌手段の紫外線ランプ１９に照射されるので、微量の侵入した細菌があっても全て死滅されて生水供給機２を介して細菌の全くない安全な生水を取出すことができる。これにより、使用者は安全かつ新鮮な水を常時飲用することができる。
【００２１】
しかも、空気流入管６が生水ボトル受け台４の外側に露出されず生水ボトル受け台４の内壁面に密着されるようになっているので、一般的な生水供給機２の構造を変更することなくそのまま使用することができるという利点もある。
【００２２】
逆に、生水ボトル１の取替又は移動、生水供給機２の掃除などのために生水供給機２から生水ボトル１及び生水ボトル受け台４を取り外すと、パッキングカバー１１の分枝管１６の上端部によって押圧されていた開閉部材９が弾性部材１０の弾性力によって原位置に復元して生水流出孔７を再び塞ぐことにより、生水の流出を防止することができるため、使用上、安全性及び便宜性を同時に図ることができる。
【００２３】
図６ないし図８は本発明の他の実施例を示す図である。この実施例の生水安全注出装置は、同図に示すように、生水供給機２の注入部３に被せられる円筒状のパッキングカバー１１の下部中央に生水流出孔２８が設けられ、パッキングカバー１１の生水流出孔２８には、少なくとも２方向、好ましくは３方向の翼１０２と、各翼１０２の間に形成された生水排出通路１０３と、生水ボトル１を生水供給機２に装着する際に少なくともその上端部が生水ボトル受け台４の開閉部材９を押圧することが可能な高さだけ上端部から下がった位置に、パッキングカバー１１の生水流出孔２８の入口側壁に係止されるように形成された係止段１０４を有してなる押圧部材１０１を上方から挿入し、パッキングカバー１１の生水流出孔２８の下方に突出部１１ｂを設けてその外周面に、冷水用容器１４と温水用容器１５に生水を分枝させるための分枝管１６を挿入してなるものである。
【００２４】
このように構成された状態で、生水ボトル受け台４を被せた生水ボトル１を逆さまにして生水供給機２の注入部３にのせると、生水ボトル受け台４の外周面がパッキングカバー１１の縁部と接触するとき、パッキングカバー１１のフランジ１２上に一体に設けられたパッキング部材１３をその自重によって自然に押圧することにより、生水ボトル受け台４とパッキングカバー１１との間を完全密閉させることができ、生水供給機２の注入部３を介して発生しうる細菌の汚染を完璧に防止することができる。
【００２５】
また、生水ボトル受け台４を被せた生水ボトル１を生水供給機２の注入部３、具体的にはパッキングカバー１１上にのせると、パッキングカバー１１の生水流出孔２８に挿入して突出させた押圧部材１０１の上端部が生水ボトル受け台４の開閉部材９を押圧するので、栓部材８の生水流出孔７が開放されて生水容器１から生水が注出され、注出された生水は押圧部材１０１の各翼１０２間の生水流出通路１０３を介して流出され、分枝管１６によって冷水用容器１４または温水用容器１５に分枝されて流入されることができる。
【００２６】
したがって、生水ボトル１を生水供給機１に載せるときに生水の漏洩が防止されて使用上便利であり、生水の注出が円滑になる効果の面では先の実施例と同等である。
【００２７】
なお、先の実施例と比較すると、別途の押圧部材１０１を製作しなければならないが、パッキングカバー１１には別途のネジ部１１ａを形成しなくてもよいのでその製作が容易となり、また分枝管１６は特別な形状を必要としないうえ、円滑な挿入のためにフレキシブルな材質としうるので製作が容易となり、差し引き製造コストを低くすることができる。
【産業上の利用可能性】
【００２８】
以上の説明で判るように、本発明は、生水供給機の注入口にパッキングカバーを被せ、ここに生水ボトル受け台付き生水ボトルを載せるときに注入口と生水ボトル受け台との間が完璧に密閉されるようにしたので、細菌の侵入を完全に防止することができる。
【００２９】
また、生水ボトル受け台の殺菌手段及び空気流入手段を介して生水ボトル内の生水での細菌の繁殖を防止すると同時に、万一存在する細菌を死滅させることができる。
【００３０】
生水ボトル受け台が生水ボトルに被せられた状態では、開閉部材が生水流出通路を塞いでおり漏洩が防止される。
【００３１】
一方、このような状態の生水ボトルを逆さまにしてパッキングカバー上にのせると同時に開閉部材が押圧されて生水ボトル受け台の生水流出孔が開放されるようにしているので、飲用のための生水を円滑に注出することができ、生水の円滑な注出のために外部空気を流入するときにその通路になる空気流入管を生水ボトル受け台の内壁面に密着されるように折り曲げることにより、一般的な生水供給機にそのまま使用することができる。
【図面の簡単な説明】
【００３２】
【図１】本発明に係る生水安全供給装置の各部の構造が明瞭に判るようにした斜視図である。
【図２】本発明に係る生水ボトル受け台の断面図である。
【図３】本発明に係るパッキングカバーの断面図である。
【図４】本発明に係る生水流入防止手段の断面図である。
【図５】本発明に係る生水安全供給装置が設置された生水供給機の断面図である。
【図６】本発明の他の実施例に係るパッキングカバーの断面図である。
【図７】本発明の他の実施例に係る押圧部材の斜視図である。
【図８】上記実施例の生水安全供給装置が設置された生水供給機の断面図である。
【符号の説明】
【００３３】
１      生水ボトル
２      生水供給機
３      注入部
４      生水ボトル受け台
５      空気フィルター
６      空気流入管
７、１７、２８  生水流出孔
８      栓部材
９      開閉部材
１０    弾性部材
１１    パッキングカバー
１１ａ、１６ａ  ネジ部
１１ｂ  突出部
１２    フランジ
１３    パッキング部材
１４    冷水用容器
１４ａ、１５ａ  安全弁
１５    温水用容器
１６    分枝管
１８    石英管
１９    紫外線ランプ
２０    リード線
２１    被覆管
２２    キャップ部材
２３    ボール部材
２４    空気流通孔
２５    隔離板
２６    ストッパー
２７    支持片
１０１  押圧部材
１０２  翼
１０３  生水流出通路
１０４  係止段
【図１】
2005511435.tif 000003
【図２】
2005511435.tif 000004
【図３】
2005511435.tif 000005
【図４】
2005511435.tif 000006
【図５】
2005511435.tif 000007
【図６】
2005511435.tif 000008
【図７】
2005511435.tif 000009
【図８】
2005511435.tif 000010
【国際調査報告】
2005511435.tif 000011
2005511435.tif 000012